(57)【要約】【課題】装置内部に侵入した液体を速やかに排出する表示装置を提供すること。【解決手段】本発明に係る表示装置１は、表示パネル３と、表示パネル３の下辺を覆い、前面壁２１１と底面壁２１２を有する下枠２１と、底面壁２１２に設けられた排水穴２１３と、排水穴２１３を覆うように底面壁２１２の内側面に設けられた吸水性の多孔質部材２１４と、を備えた。【選択図】図２
2010237464.tif 000002
【特許請求の範囲】
【請求項１】
表示パネルと、
表示パネルの下辺を覆い、前面壁と底面壁を有する下枠と、
前記底面壁に設けられた排水穴と、
前記排水穴を覆うように前記底面壁の内側面に設けられた吸水性の多孔質部材と、
を備えた表示装置。
【請求項２】
前記多孔質部材は、前記底面壁の内側面より親水性が高い請求項１記載の表示装置。
【請求項３】
前記多孔質部材は複数であり、互いに離間して配置されている請求項１記載の表示装置。
【請求項４】
前記底面壁の内側面の前記排水穴より後方に、流路を規定する堰部材が左右方向に延びるように設けられている請求項１記載の表示装置。
【請求項５】
前記表示パネル下辺の前面に、流路変更部材が設けられている請求項１記載の表示装置。
【請求項６】
前記流路変更部材は、前記前面壁の内側面より親水性が低い請求項５記載の表示装置。
【請求項７】
前記流路変更部材の底面に、少なくとも前方から後方に向い上がるように傾斜する傾斜面が設けられている請求項５記載の表示装置。
【請求項８】
前記流路変更部材の底面に、凹部が形成されている請求項５記載の表示装置。
【請求項９】
前記流路変更部材と、前記前面壁の内側面との間に間隙が形成されている請求項５記載の表示装置。
【請求項１０】
前記流路変更部材は、弾性を有する緩衝部材である請求項５記載の表示装置。
【請求項１１】
さらに、前記表示パネルの後方に、前記表示パネルに相対する垂直壁と、前記底面壁に相対する水平壁を有し、前記垂直壁に配置され、前記表示パネルを支持する複数の支持突起を有する下支持枠を備えた請求項１記載の表示装置。
【請求項１２】
前記水平壁の下面には、前記底面壁の上面と前記水平壁の下面との間隙が他の部分より狭くなる誘導凸部が形成されている請求項１１記載の表示装置。
【請求項１３】
前記誘導凸部は、前方から後方に向かって伸びている請求項１２記載の表示装置。
【請求項１４】
前記誘導凸部は、前記底面壁の後端より後方に延び、下方に向かって突出している請求項１３記載の表示装置。
【請求項１５】
前記支持突起は、上方に向い開口する凹部を有する請求項１１記載の表示装置。
【請求項１６】
前記支持突起の凹部底面には、切欠き又は穴が設けられている請求項１５記載の表示装置。
【発明の詳細な説明】
【技術分野】
【０００１】
本発明は、表示装置に関する。
【背景技術】
【０００２】
近年、液晶ディスプレイを始めとするいわゆる平面型表示装置がテレビジョン受像機や各種モニターなど種々の用途に広く利用されるようになっており、場合によっては水分が筐体内部に浸入するような使用方法あるいは環境に置かれることが起こり得る。たとえば、表示パネル表面を水拭きされたり、表示パネル表面に結露が生じる環境に置かれたり、あるいは店頭の軒先など多少の雨などがかかる場所に設置される等が考えられる。かかる状況では、表示パネル表面に付着した水滴は、重力により下方に流れ、表示パネルとその四辺を覆う枠との隙間から装置の内部へと浸入することがある。
【０００３】
そして、平面型表示装置の中には、その表示パネルの下辺に制御基板が接続されているものが存在する。このような形式の表示装置内部に水が浸入すると、かかる制御基板が水に濡れ、ショートを起こすなど故障の原因となる可能性がある。
【０００４】
特許文献１には、このような事態を回避するため、下側の枠に排水用の穴を設けた表示装置が開示されている（図６）。
【先行技術文献】
【特許文献】
【０００５】
【特許文献１】特開２００７−２１２６５２号公報
【発明の概要】
【発明が解決しようとする課題】
【０００６】
本発明はかかる観点に鑑みてなされたものであって、その目的は、装置内部に侵入した液体を速やかに排出する表示装置を提供することである。
【課題を解決するための手段】
【０００７】
本出願において開示される発明のうち、代表的なものの概要を簡単に説明すれば、以下のとおりである。
【０００８】
（１）表示パネルと、表示パネルの下辺を覆い、前面壁と底面壁を有する下枠と、前記底面壁に設けられた排水穴と、前記排水穴を覆うように前記底面壁の内側面に設けられた吸水性の多孔質部材と、を備えた表示装置。
【０００９】
（２）（１）において、前記多孔質部材は、前記底面壁の内側面より親水性が高い表示装置。
【００１０】
（３）（１）において、前記多孔質部材は複数であり、互いに離間して配置されている表示装置。
【００１１】
（４）（１）において、前記底面壁の内側面の前記排水穴より後方に、流路を規定する堰部材が左右方向に延びるように設けられている表示装置。
【００１２】
（５）（１）において、前記表示パネル下辺の前面に、流路変更部材が設けられている表示装置。
【００１３】
（６）（５）において、前記流路変更部材は、前記前面壁の内側面より親水性が低い表示装置。
【００１４】
（７）（５）において、前記流路変更部材の底面に、少なくとも前方から後方に向い上がるように傾斜する傾斜面が設けられている表示装置。
【００１５】
（８）（５）において、前記流路変更部材の底面に、凹部が形成されている表示装置。
【００１６】
（９）（５）において、前記流路変更部材と、前記前面壁の内側面との間に間隙が形成されている表示装置。
【００１７】
（１０）（５）において、前記流路変更部材は、弾性を有する緩衝部材である表示装置。
【００１８】
（１１）（１）において、さらに、前記表示パネルの後方に、前記表示パネルに相対する垂直壁と、前記底面壁に相対する水平壁を有し、前記垂直壁に配置され、前記表示パネルを支持する複数の支持突起を有する下支持枠を備えた表示装置。
【００１９】
（１２）（１１）において、前記水平壁の下面には、前記底面壁の上面と前記水平壁の下面との間隙が他の部分より狭くなる誘導凸部が形成されている表示装置。
【００２０】
（１３）（１２）において、前記誘導凸部は、前方から後方に向かって伸びている表示装置。
【００２１】
（１４）（１３）において、前記誘導凸部は、前記底面壁の後端より後方に延び、下方に向かって突出している表示装置。
【００２２】
（１５）（１１）において、前記支持突起は、上方に向い開口する凹部を有する表示装置。
【００２３】
（１６）（１５）において、前記支持突起の凹部底面には、切欠き又は穴が設けられている表示装置。
【発明の効果】
【００２４】
以上の本出願において開示される発明によれば、装置内部に侵入した液体を速やかに排出する表示装置を提供することができる。
【図面の簡単な説明】
【００２５】
【図１】本発明の実施形態に係る表示装置の正面図である。
【図２】図１のＡ−Ａ断面図である。
【図３】下枠の上面図である。
【図４】図２の下部拡大図である。
【図５】流路変更部材の種々の形状を示す図である。
【図６】図１のＢ−Ｂ断面における下部拡大図である。
【図７】下支持枠の正面図である。
【図８】支持突起を含む下支持枠の部分斜視図である。
【発明を実施するための形態】
【００２６】
以下本発明の実施形態を図面を参照しつつ説明する。
【００２７】
図１は、本発明の実施形態に係る表示装置１の正面図である。表示装置１は、中央部が開口し表示面が配置される外枠２、その背後に配置される表示パネル３、さらにその背後に配置され、表示パネル３を支持する下支持枠４及び上支持枠５を有している。なお、以降、表示装置１の表示面側方向を前方、その反対方向を後方とし、表示面に向かって下側を下方、上側を上方、右側を右方、左側を左方と称する。
【００２８】
外枠２は表示パネル３の四辺を覆っており、それぞれ表示パネル３の下辺を覆う下枠２１、左辺を覆う左枠２２、右辺を覆う右枠２３及び上辺を覆う上枠２４からなる。なお、下枠２１、左枠２２、右枠２３及び上枠２４は別体として形成され、相互に固定されるようにしてもよいし、一体として外枠２を構成するようにしてもよい。また、外枠２の材質は特に限定されず、金属やプラスチックであってよいが、本実施形態では鋼材である。
【００２９】
表示パネル３は平面ディスプレイと呼ばれる形式のものであり、通常、外部から入力される映像信号に応じて、ガラス基板上に格子状に配置された多数の表示素子を駆動することによりその表面に映像を表示する。このような表示パネル３の形式は特に限定されず、液晶表示パネル、有機ＥＬ（エレクトロルミネセンス）パネル、ＰＤＰ（プラズマディスプレイパネル）、ＦＥＤ（電界放出ディスプレイ）パネル等を用いることができる。本実施形態では、表示パネル３は、ＩＰＳ（Ｉｎ  Ｐｌａｎｅ  Ｓｗｉｔｃｈｉｎｇ）方式による液晶表示パネルである。もちろん、ＩＰＳ以外の駆動方式、例えば、ＶＡ（Ｖｅｒｔｉｃａｌ  Ａｌｉｇｎｍｅｎｔ）方式やＴＮ（Ｔｗｉｓｔｅｄ  Ｎｅｍａｔｉｃ）方式等を採用することは一向に差し支えない。
【００３０】
下支持枠４及び上支持枠５は、表示パネル３をその背面から押さえ、支持する。また、下支持枠４には、表示パネル３をその上に載せるための支持突起４１が設けられている。なお、本実施形態では、下支持枠４及び上支持枠５により表示パネル３の上下辺を抑える構造としているが、これに加え、表示パネル３の左右辺を押さえる左右の支持枠を追加してもよい。下支持枠４及び上支持枠５の材質も特に限定はされないが、成型が容易であることから、ＰＣ（ポリカーボネート）、ＡＢＳ（アクリロニトリル−ブタジエン−スチレン共重合樹脂）、ＰＣ−ＡＢＳ（ＰＣとＡＢＳの混合樹脂）等の各種合成樹脂を好適に使用することができる。本実施形態では、ＰＣである。
【００３１】
図２は、図１のＡ−Ａ断面図である。
【００３２】
下枠２１は、表示パネル３の前方に鉛直に配置される前面壁２１１と、表示パネル３の下方に水平に配置される底面壁２１２とを有し、おおむねＬ字形状をしている。底面壁２１２には排水穴２１３が形成され、その上部を覆うように底面壁２１２の内側面に吸水性の多孔質部材２１４が設けられている。また、多孔質部材２１４の後方には堰部材２１５が設けられている。これらの排水穴２１３、多孔質部材２１４及び堰部材２１５については後述する。
【００３３】
表示パネル３は、ここでは液晶表示パネルであるので、前方から順に前面偏光板３１、カラーフィルタ基板３２、ＴＦＴ基板３３及び背面偏光板３４を積層した構造をしている。カラーフィルタ基板３２は、赤青緑の薄膜が格子状に表面に形成されたガラス基板であり、ＴＦＴ基板３３は、その表面に液晶を駆動するための電極と、該電極に接続されたＴＦＴ（Ｔｈｉｎ  Ｆｉｌｍ  Ｔｒａｎｓｉｓｔｏｒ）からなる多数の画素が同じく格子状に形成されたガラス基板である。カラーフィルタ基板３２とＴＦＴ基板３３との間には、液晶が保持されている。そして、ＴＦＴ基板３３の下端からはフレキシブル基板３５が延びており、回路基板３６が接続されている。ここでは、回路基板３６はＴＦＴ基板３３上のＴＦＴのドレイン線に接続されており、一般にドレイン基板と称されるが、ドレイン線に替えソース線に接続してもよく、またその両方に接続する等してもよい。また、表示パネル３下辺の前面には、流路変更部材３７が設けられている。流路変更部材３７については後述する。
【００３４】
下支持枠４は、表示パネル３の後方に配置され、表示パネル３と相対する垂直壁４２と底面壁２１２と相対する水平壁４３を有し、おおむねＬ字形状をしている。上支持枠５についても同様である。水平壁４３の下面には回路基板３６が固定されている。
【００３５】
バックライト６は、表示パネル３の背面に配置される均一な面照明である。同図では、冷陰極管を用いたものを例として図示しており、内面が反射面となっているハウジング６１、冷陰極管６２及び拡散板６３から構成される。しかしながら、バックライト６の形式はどのようなものでもよく、冷陰極管６２に替えて熱陰極管や発光ダイオードを使用してもよく、また有機ＥＬ素子などを用いた面発光光源を使用してもよい。また、表示パネル３自体が有機ＥＬパネル、ＰＤＰ、ＦＥＤパネル等の自発光型である場合には、バックライト６は不要である。
【００３６】
緩衝材７は表示パネル３を支持すると同時に、表示装置１に加わる外部からの衝撃や振動が表示パネル３に伝わらないよう吸収する。緩衝材７は表示パネル３表面に取り付けられていても、上枠２４、下支持枠４、上支持枠５に取り付けられていても差し支えない。緩衝材７の材質は、衝撃や振動を吸収すべく適度な弾性を有するものであれば特に限定はされないが、好適には発泡性ゴムを用いるとよい。
【００３７】
図３は、下枠２１の上面図である。底面壁２１２上に複数の排水穴２１３が形成されており、それぞれの排水穴２１３の上を覆うように多孔質部材２１４が底面壁２１２に貼付されている。多孔質部材２１４同士は離間して配置されており、多孔質部材２１４と多孔質部材２１４との間は底面壁２１２の内側面が露出している。堰部材２１５は排水穴２１３より後方において図示のように左右方向に延び、前面壁２１１との間に流路２１６を規定している。また、堰部材２１５は底面壁２１２の左右端近傍で後方に折れ曲がり、排水路２１７を形成する。なお、排水穴２１３は円形の穴として図示したが、矩形など他の形状であってもよい。また、後述するように多孔質部材２１４は複数を離間して配置するほうが好ましいが、流路２１６全体を覆うように貼付してもよい。さらに、排水路２１７は本実施形態では下枠２１の左右両端に形成したが、両端でない中間部に形成してもよい。
【００３８】
次に、排水穴２１３、多孔質部材２１４及び堰部材２１５の作用を図３及び図４を用いて説明する。なお、図４は、図２の下部拡大図である。図４中矢印ａに示すように、表示パネル３表面に付着した水は下方に流れ落ち、流路変更部材３７上に達する。ここで、流路変更部材３７は、表示パネル３表面に密着するように設けられているので、水は流路変更部材３７と表示パネル３との間に浸入することはできない。流路変更部材３７を表示パネルに設ける手段は公知のどのようなものでもよいが、ここでは両面粘着テープあるいは粘着剤を用いて接着している。その結果、流路変更部材３７上に流れ落ちた水は、前面壁２１１の内側面との間に形成された間隙３８に流れ込む。ここで、間隙３８は十分狭いため、伝い落ちた水は流路変更部材３７のみならず、前面壁２１１の内側面にも接触し、その表面を濡らすことになる。間隙３８を通過した水は、そのまま矢印ｂに示すように前面壁２１１の内側面を伝い流れ落ち、流路２１６へと流れ込む。
【００３９】
その際、水がフレキシブル基板３５に達しないよう、表示パネル３の下側に回り込むのを防ぐことが必要である。そのためには、流路変更部材３７の材質及び／又は形状を工夫すればよい。すなわち、流路変更部材３７の材質を、前面壁２１１の内側面より親水性が低いものとすればよい。そのようにすれば、間隙３８を通過した水は、選択的に前面壁２１１の内側面を伝って流れ、流路変更部材３７の下面へと回りこむことはなく、したがって水がフレキシブル基板３５に達することもない。なお、流路変更部材３７は、表示装置１に加わる外部からの衝撃や振動を吸収し表示パネル３を保護する緩衝部材としての機能をも持たせることが好ましく、したがって、その材質は弾性かつ疎水性を持つものがよい。一例として、シリコンゴム、フッ素ゴム或いはそれらの発泡体を挙げることができる。ここでは、シリコンゴムである。なお、本明細書でいう親水性は、その材質表面における水の接触角を測定することにより評価することができる。すなわち、接触角が小さいほど親水性が高く、接触角が大きいほど親水性が低い（＝疎水性）と判断することができる。
【００４０】
また、流路変更部材３７の形状により、水が流路変更部材３７の下面へと回りこむのを防ぐことができる。例えば、図５の（ａ）（ｂ）に示すように、流路変更部材３７の底面の少なくとも一部に、前方から後方に向い上がるように傾斜する傾斜面３７１を設けるとよい。あるいは、同図（ｃ）に示すように、流路変更部材３７の底面に単に凹部３７２を設けてもよい。なお、図５において、紙面左方向が前方、同右方向が後方である。
【００４１】
再び図４に戻り、流路２１６上に流れ落ちた水は、吸水性の多孔質部材２１４に引き寄せられ、その下方に位置する排水穴２１３から矢印ｃのように自重により下方に排出される。ここで、多孔質部材２１４が吸水性を有するとは、多孔質部材２１４が接触する水をその内部に取り込むと共に、放出することができる性質のことを指し、定性的には、多孔質部材２１４上に水滴を落とした際に、該水滴が速やかに多孔質部材２１４内部に吸い込まれるか否かを観察することにより吸水性の有無を確認することができる。このような多孔質部材２１４が排水穴２１３上に設けられていると、図３中矢印のように、流路２１６上に流下した水は多孔質部材２１４に吸い寄せられるように流動し、排水穴２１３からの速やかな排出が可能となる。このような効果を得るためには、多孔質部材２１４の材質の親水性が、底面壁２１２の内側面より高く、かつ、多孔質部材２１４が離間して配置され、流路２１６中において底面壁２１２の内側面が露出していることが好ましい。このようにすると、親水性の差から、流路２１６上の水は選択的に多孔質部材２１４側へと流動し、排水穴２１３からの排水が促進される。多孔質部材２１４の材質は特に限定されないが、木綿、セルロースやアクリル樹脂製の不織布、織物、編物、スポンジ状の発泡体を挙げることができる。ここでは、セルロース不織布を用いている。また、多孔質部材２１４の形状は、材料低減の観点からは薄いシート状であることが好ましい。なお、排水穴２１３の数は本実施形態では３つとしたが、これは例示であり、特に限定されない。表示装置１の使用方法や設置環境により浸入すると予想される水の量に応じ、排水穴２１３の数や間隔を適宜変更して差し支えない。
【００４２】
また、堰部材２１５は流路２１６上に流下した水が後方へと流動しないよう堰き止める凸形状の部材である。堰部材２１５は下枠２１と一体に形成することも可能であるが、流路２１６上の水が堰部材２１５を乗り越え溢れる可能性を低減するため、疎水性の材質とすることが好ましい。より詳しくは、堰部材２１５の材質の親水性が、底面壁２１２の内側面より低いことが好ましい。このようにすれば、親水性の差により、流路２１６内の水はなるべく流路２１６内に留まろうとし、堰部材２１５を乗り越え溢れる恐れは少なくなる。堰部材２１５の材質は、シリコン樹脂やフッ素樹脂を挙げることができ、本実施形態ではシリコンゴムである。
【００４３】
図６は、図１のＢ−Ｂ断面における下部拡大図である。底面壁２１２の内側面における排水路２１７（図３参照）上における水平壁４３の下面に誘導凸部４４が、図示するように前方から後方に延びるように形成されている。底面壁２１２の内側面と誘導凸部４４との間隙４５は、図示するように他の部分より狭くなっている（比較のため、図４参照）。さらに、誘導凸部４４は、底面壁２１２の後端より後方に突出するように伸び、その突出部において、下方に向かって突出する突起４６を備えている。
【００４４】
かかる構成では、表示装置１の左右端部に流下した水は、図６中矢印ｄで示すように、間隙４５に浸入する。間隙４５は十分狭く設定されているので、間隙４５に浸入した水は毛細管現象により後方へと流動し、矢印ｅに示すように突起４６から水滴となって下方へと排出される。このような構造によっても、表示装置１内部に侵入した水を速やかに排出することができるとともに、水の排出位置を制御することができる。
【００４５】
図７は下支持枠４の正面図である。垂直壁４２の前面には支持突起４１が突出するように設けられている。支持突起４１の上面には載置面４７が形成されており、表示パネル３はこの載置面４７上にその下端を載せるように置かれ支持される。なお、載置面４７上に適宜の緩衝材、たとえばゴム製のシート等を取り付け、表示パネル３へ伝わる衝撃や振動を吸収するようにしてもよい。また、支持突起４１の上面には、上方に向い開口する凹部４８が設けられている。凹部４８の底面の前方縁には、切欠き４９が形成されている。
【００４６】
図８は支持突起４１を含む下支持枠４の部分斜視図である。同図には、支持突起４１、載置面４７、凹部４８及び切欠き４９の形状が明瞭に示されている。図中示す支持突起４１の突出幅Ｌは、下支持枠４の垂直壁４２と下枠２１の前面壁２１１との間隔に概ね等しい長さとされており、表示装置１を組み立てた状態では、支持突起４１は前面壁２１１の内側面に付き当たる。したがって、凹部４８と前面壁２１１の内側面とは、下方に窪んだ容器を形成することになる。このようにすると、何らかの原因により一時に大量の水が表示パネル３の表面を伝って浸入してきた際に、支持突起４１上に流下した水は凹部４８に一時的に溜まり、さらに下方の流路２１６に流れ込む水の量が削減される。その結果、大量の水が流入することによる、流路２１６から堰部材２１５を超えての水の溢出が防止される。凹部４８に貯まった水は、切欠き４９からゆっくりと下方へ排出され、最終的には下枠２１の排水穴２１３又は排水路２１７から排出される。
【００４７】
なお、本実施形態では、凹部４８は図８に図示するようにその左右に傾斜面を持つ形状としたが、凹部の形状は特段限定されず、左右に垂直面を持つ単純な箱型の形状としてもよい。また、切欠き４９の形状は半円形としたが、これに限定されず、任意の形状としてよい。さらに、切欠き４９に替え、凹部４８の底面に穴を形成するようにしてもよい。しかしながら、本実施形態のように切欠き４９を凹部４８の底面の前方縁に形成すると、射出成型等による下支持枠４の形成が容易である、凹部４８から排出される水を前面壁２１１の内側面に沿わせることができる等の利点がある。なお、切欠き４９やそれに代わる穴を全く形成しなくともよい。その場合、凹部４８に貯まった水は時間はかかるものの、蒸散により消失することになる。また、支持突起４１の数は特に限定されないが、表示パネルを安定に支持するため、２以上の複数とすることが好ましい。
【００４８】
また、表示パネル３から下方に延びるフレキシブル基板３５は、下支持枠４の支持突起４１が形成されている部分を通すことができない。そのため、フレキシブル基板は支持突起４１間の領域を通過して回路基板３６に接続される。
【００４９】
以上の説明では、外枠２と下支持枠４、上支持枠５間の固定については特に説明しなかったが、適宜の方法を用いて差し支えない。たとえば、下枠２１と下支持枠４についていえば、支持突起４１を利用してネジなどにより相互に固定してよい。また、適宜ボスを設ける等してもよい。さらに、バックライト６のハウジング６１を延長して外枠２、下支持枠４及び上支持枠５を固定してもよく、別体の骨組を用意して、かかる骨組に固定するようにしてもよい。
【符号の説明】
【００５０】
１  表示装置、２  外枠、２１  下枠、２２  左枠、２３  右枠、２４  上枠、２１１  前面壁、２１２  底面壁、２１３  排水穴、２１４  多孔質部材、２１５  堰部材、２１６  流路、２１７  排水路、３  表示パネル、３１  前面偏光板、３２  カラーフィルタ基板、３３  ＴＦＴ基板、３４  背面偏光板、３５  フレキシブル基板、３６  回路基板、３７  流路変更部材、３７１  傾斜面、３７２  凹部、３８  間隙、４  下支持枠、４１  支持突起、４２  垂直壁、４３  水平壁、４４  誘導凸部、４５  間隙、４６  突起、４７  載置面、４８  凹部、４９  切欠き、５  上支持枠、６  バックライト、６１  ハウジング、６２  冷陰極管、６３  拡散板、７  緩衝材。
【図１】
2010237464.tif 000003
【図２】
2010237464.tif 000004
【図３】
2010237464.tif 000005
【図４】
2010237464.tif 000006
【図５】
2010237464.tif 000007
【図６】
2010237464.tif 000008
【図７】
2010237464.tif 000009
【図８】
2010237464.tif 000010